【事件の表示】
　平成１０年特許願第３３５９２５号「カメラの測光装置」拒絶査定不服審判事件〔平成１１年　８月３１日出願公開、特開平１１−２３７６５７〕について、次のとおり審決する。
【結　論】
　本件審判の請求は、成り立たない。
【理　由】
１．手続の経緯 
　本願は、特許法第４１条に基づく優先権主張を伴う平成１０年１１月２６日（優先日、平成９年１１月２６日）の出願であって、平成１６年３月３１日付けで拒絶査定がなされ、これに対して平成１６年５月６日に拒絶査定に対する審判請求がなされるとともに、平成１６年６月３日付けで手続補正がなされたものである。 
　 
２．平成１６年６月３日付けの手続補正についての補正却下の決定 
［補正却下の決定の結論］ 
　平成１６年６月３日付けの手続補正を却下する。 
　 
［理由］ 
　平成１６年６月３日付けの手続補正（以下、「本件補正」という。）により、特許請求の範囲の請求項１は、平成１５年６月３０日付け手続補正の特許請求の範囲の請求項１の 
「開放絞り状態においてピント板を透過した被写体光束を受光して被写体輝度を測定する測光手段と、該測光手段の測光値に基づいて所定の演算式により露出値を演算する演算手段とを備えたカメラの測光装置であって、
　前記ピント板保持手段が保持したピント板の種別を識別する識別手段と、
　補正の種類に応じた演算式および前記ピント板の種別に応じた定数を記憶した記憶手段とを備え、
　前記記憶手段に記憶した演算式および定数の中から、前記識別手段が識別したピント板に応じた定数を選択する選択手段とを備え、
　前記演算手段は、前記演算式および前記選択手段が選択した定数により各補正値を演算し、さらに演算した各補正値および所定の演算式により補正値を演算することを特徴とするカメラの測光装置。」から 
「開放絞り状態においてピント板を透過した被写体光束を受光して被写体輝度を測定する
、広視野の中央測光領域を含む分割測光センサおよび狭視野の中央測光領域を含む分割測光センサ
分割測光センサの
　ピント板保持手段が保持したピント板の種別を識別する識別手段と、
　
スポット測光モードおよび他の測光モードの中からいずれか一つを選択する測光モード選択手段とを備え、
前記演算手段は、該測光モード選択手段がスポット測光モードを選択している状態で、前記識別手段がピント板の種別を全面マットと識別したときは、狭視野の中央測光領域を選択してその測光値に基づいて測光演算し、全面マットではないと識別したときは広視野の中央測光領域を選択してその測光値により測光演算すること、
　 
　本件補正は、補正前の請求項１の構成要件である「ピント板の種別に応じた定数」を削除する補正を含むものであるところ、この補正は、請求項の削除、特許請求の範囲の減縮、誤記の訂正、明りょうでない記載の釈明のいずれにも該当しない。
　したがって、本件補正は、特許法第１７条の２第４項の規定に適合しないので、特許法第１５９条第１項で読み替えて準用する同法第５３条第１項の規定により却下すべきものである。 
 
３．本願発明について 
（１）本願発明 
　平成１６年６月３日付けの手続補正は上記のとおり却下されたので、本願の特許請求の範囲の請求項１に係る発明は、 
「開放絞り状態においてピント板を透過した被写体光束を受光して被写体輝度を測定する測光手段と、該測光手段の測光値に基づいて所定の演算式により露出値を演算する演算手段とを備えたカメラの測光装置であって、
　ピント板保持手段が保持したピント板の種別を識別する識別手段と、
　補正の種類に応じた演算式および前記ピント板の種別に応じた定数を記憶した記憶手段とを備え、
　前記記憶手段に記憶した演算式および定数の中から、前記識別手段が識別したピント板に応じた定数を選択する選択手段とを備え、
　前記演算手段は、前記演算式および前記選択手段が選択した定数により各補正値を演算し、さらに演算した各補正値および所定の演算式により補正値を演算することを特徴とするカメラの測光装置。」 
にあるものと認める。
　なお、平成１５年６月３０日付け手続補正書の特許請求の範囲の請求項１には、「前記ピント板保持手段」と記載されているが、「ピント板保持手段」の誤記と認められるので、本願の特許請求の範囲の請求項１に係る発明（以下、「本願発明」という。）を上記のとおり認定した。
　
（２）刊行物 
　拒絶の理由に引用された特開平６−５１３６７号公報（以下、「刊行物１」という。）には、以下の事項が記載されている。 
ａ１．「【請求項１】複数のピント板を選択装着可能な一眼レフカメラにおいて、
装着されたピント板の光の拡散特性を検出する拡散特性検出手段と；ピント板に結像した被写体の輝度を、この拡散特性検出手段によって検出されたピント板の光の拡散特性に応じて補正する測光値補正手段と；を備えたことを特徴とする一眼レフカメラの露出制御装置。
【請求項２】  請求項１において、拡散特性検出手段は、装着されたピント板に向けて測定光を発する光源と、ピント板を透過する光を受光する受光素子とを備えている一眼レフカメラの露出制御装置。
【請求項３】  請求項１において、拡散特性検出手段は、複数のピント板自体に、該ピント板の光の拡散特性に応じて形成した拡散特性認識手段と、この拡散特性認識手段を検出するカメラボディ側の検出手段とを備えている一眼レフカメラの露出制御装置。」
ａ２．「【０００２】
【従来技術およびその問題点】一眼レフカメラには、撮影条件や使用レンズ、または撮影者の好みに合わせて、ピント板（フォーカシングスクリーン）を交換可能なものがある。ピント板は、その種類によって、光の拡散特性（以下「拡散特性」と称す）が異なったものが存在する。そのため、ピント板の透過光を測光素子等の測光手段により測光し、この測光結果を基に露出制御を行なって露出因子（シャッター速度、絞り値等）を決定するカメラでは、ピント板に入射する光量が一定であっても、ピント板の種類によっては測光手段による測光結果（受光量）が異なるため、該カメラの測光方式と、装着するピント板の種類に応じて、測光補正を必要とする場合がある。そこで従来では、その補正方法として、撮影者が手動で補正値を設定する方法がとられていた。しかしながら、手動で補正値を設定するこの従来の方法によると、撮影者は、異なるピント板毎に補正値を知る手段を必要とし、誤設定をした場合に正確な測光補正ができず、その結果、正確な露出が得られないことがあった。」 
ａ３．「【０００５】
【実施例】以下図示実施例に基づいて本発明を説明する。図１は、本発明を適用した一眼レフカメラの実施例を示している。一眼レフカメラ１０は、撮影レンズ鏡筒１１が有する撮影レンズ群Ｌを透過した被写体光束を、ミラー１２を介してフィルム面１３と等価な面に置いたピント板１４に結像させ、この像をペンタプリズム１５および接眼光学系１６を介して観察する。ペンタプリズム１５の後部上方に配置された測光レンズ１７は、ピント板１４上の被写体像を二次光源として、その像を測光素子１８（受光素子）に縮小投映する。測光素子１８および測光レンズ１７は、公知の露光用受光手段である。」 
ａ４．「【００１０】すると、測光値補正手段３１は、測光素子１８が出力した測光結果を基に、どの程度該測光結果を補正すべきかを演算により求め、この演算により求められた測光補正値を、同様に露出制御手段３０の設けられた露出因子設定手段３２に出力する。露出因子設定手段３２は、測光値補正手段３１が出力した測光補正値を、その内部に設けられている記憶手段（図示せず）にメモリーする。その後は、通常の撮影可能状態となり、以後、測光素子１８の測光結果は、測光値補正手段３１を介さないで露出因子設定手段３２に直接出力され、露出因子設定手段３２は、その内部に記憶されている測光補正値に基づき、測光素子１８からの測光結果を補正したうえで撮影のための露出因子を算出する。なお、露出因子設定手段３２内部にメモリーされた測光補正値は、主電源をオフするか、または新たにスイッチ２２を操作することで測光補正値を更新しない限り記憶手段内部に保持される。」
ａ５．「【００１３】図５ないし図８は、本発明の第２の実施例を示している。この第２の実施例では、ピント板の拡散特性に基づいて該ピント板に所定の形状を呈する切欠部（図５では４１）を形成し、この切欠部の長さ（図５ではｄ）に基づいて露出制御を行なう構成を有している。以下にその詳細を説明する。
【００１４】図５は、ピント板４０をカメラ１０に装着した状態を示している。ミラーボックス２５上方に位置するピント板４０近傍の固定部６０には、抵抗値読み取り装置５０が設けられている。抵抗値読み取り装置５０は、図５の上下方向（カメラ１０の前後方向）に延びる複数本の抵抗体接点部５１を有している。抵抗値読み取り装置５０はまた、この抵抗体接点部５１に沿って、図示せぬ支持機構により移動自在に支持される移動部材５２を有している。この移動部材５２は、抵抗体接点部５１のそれぞれに摺動接触可能に設けられたブラシ接点部５２ａを備えており、これらブラシ接点部５２ａのそれぞれは互いに導通されている。この構成により、抵抗値読み取り装置５０は、抵抗体接点部５１に摺動接触するブラシ接点部５２ａの位置により、この位置に対応する抵抗値を検出できる。
【００１５】抵抗値読み取り装置５０はまた、一対の引張ばね５３を有している。この一対の引張ばね５３は、その一端が移動部材５２に固定され、他端が固定部６０の支持突起部６０ａに固定されている。これにより、移動部材５２は、図５の下方に向かって常時付勢されている。ピント板４０は、カメラ１０内に備え付けられる際に、図に示す矢印Ａ方向に挿入される。ピント板４０には、該ピント板４０固有の拡散特性に基づいてその長さｄが決定された切欠部４１が形成されている。ピント板４０が挿入される際、切欠部４１が移動部材５２に形成された爪部５２ｂに係合しながら挿入されるので、ピント板４０が確実に装着されたとき、切欠部４１の長さｄにしたがって移動部材５２の抵抗体接点部５１に対する位置が決定する。すなわち、抵抗値読み取り装置５０で得られる抵抗値から、装着されるピント板の拡散特性を求める構成としている。図７には、図５に示すピント板４０とは異なる拡散特性を有するピント板４０’（切欠部４１’の長さｄ’）を装着した状態を示している。
【００１６】図８は、この第２の実施例の制御ブロックを示している。この制御ブロックにしたがって、本実施例の露出制御装置による一連の制御を以下に説明する。カメラ１０の主電源がオンされた状態で、抵抗値読み取り装置５０が、現に装着されているピント板に対応する抵抗値を露出制御手段７０が有する測光値補正手段７１に出力する。
【００１７】次に、測光値補正手段７１は、抵抗値読み取り装置５０が出力した抵抗値を基に、どの程度測光素子１８による測光結果を補正すべきかを演算により求め、測光素子１８から出力される測光結果に対して常時補正を行なう。測光値補正手段７１は、この補正された測光結果を露出因子設定手段７２に出力する。露出制御手段７０が有する露出因子設定手段７２は、測光値補正手段７１が出力した補正後の測光結果を基に、撮影のための露出因子を算出する。なお、この第２実施例では、測光値補正手段７１が、抵抗値読み取り装置５０が出力する抵抗値に応じて、常時測光素子１８から出力される測光結果の補正を行ない、補正された測光結果を露出因子設定手段７２に出力しているので、本実施例での露出因子設定手段７２は、第１の実施例での露出因子設定手段３２が有する記憶回路等を必要としていない。」
　 
　これらの記載事項と図１乃至８の記載とにより、刊行物１には、「ピント板を透過した被写体光束を受光して被写体輝度を測定する測光手段と、該測光手段の測光値を基に露出因子を演算する露出因子設定手段とを備えた一眼レフカメラの露出制御装置であって、
　ピント板が装着されたとき、装着されるピント板の拡散特性を求める拡散特性検出手段と、
　前記ピント板の拡散特性に応じて測定値を補正する測光値補正手段とを備え、
　前記露出因子設定手段は、補正後の測定値を演算することを特徴とする一眼レフカメラの露出制御装置。」の発明（以下、「刊行物１発明」という。）が記載されている。 
　 
　また、拒絶の理由に引用された特開平１−１０９３３０号公報（以下、「刊行物２」という。）には、以下の事項が記載されている。 
（ｂ１）「（１）焦点板が交換可能な１眼レフカメラにおいて、被写体からの光を撮影レンズと焦点板を通して測光する測光手段と、焦点板の種類を判別する焦点板判別手段と、判別された焦点板の種類に応じて測光手段における測光誤差を補正する補正手段とを有して成ることを特徴とする１眼レフカメラの測光装置。」（第１頁左下欄第５行〜第１１行）
（ｂ２）第１３図には、カメラシステムの動作のフローチャートが記載されている。
（ｂ３）第１５図には、露出値Ｅｖ算出ルーチンにおいて、焦点板１４のコードに応じてサブルーチンがコールされることが記載されている。
（ｂ４）第１６図には、焦点板１４のコードがＦＰｉ＝ＦＰ１のときにコールされるサブルーチンＳＵＢＡが記載されていて、サブルーチンＳＵＢＡには露出値Ｅｖを補正する演算式が記載されている。
（ｂ５）第１７図には、画像中央部に対応する開放測光値の補正値Ｗｖ１を求めるためのサブルーチンＳＵＢ１が記載されている。
（ｂ６）第１８図には、画面周辺部に対応する開放測光値の補正値Ｗｖｉを求めるためのサブルーチンＳＵＢｉ（ｉ＝２，・・・，５）が記載されている。
（ｂ７）第１９図には、焦点板１４のコードがＦＰｉ＝ＦＰ４の場合にコールされるサブルーチンＳＵＢＤが記載されていて、サブルーチンＳＵＢＤには露出値Ｅｖを補正する演算式であって、サブルーチンＳＵＢＡにおいて露出値Ｅｖを補正する演算式とは異なるものが記載されている。
　
　これらの記載事項により、刊行物２には、焦点板の種類に応じて異なるサブルーチンをコールして、各々のサブルーチンには異なる演算式が記載されているので、補正の種類に応じた演算式を用いることが開示されていると言える。また、刊行物２において、サブルーチンをコールするために、記憶手段、選択手段を備えたものであることは、当業者にとって明らかである。
　したがって、刊行物２には、補正の種類に応じた演算式を用いること、記憶手段、選択手段を備えることが開示されている。
　
（３）対比 
　そこで、本願発明と刊行物１発明とを対比すると、刊行物１発明の「露出因子」、「露出因子設定手段」、「拡散特性」、「拡散特性を求める」、及び「拡散特性検出手段」は、本願発明の「露出値」、「演算手段」、「種別」、「種別を識別する」、及び「識別手段」にそれぞれ相当する。
　ここで、刊行物１発明の測光手段の測光値を基に露出因子を演算する露出因子設定手段は、測光手段の測光値に基づいて所定の演算式により露出値を演算する演算手段であると言える。
　また、刊行物１発明の一眼レフカメラの露出制御装置は測光手段を備えたものであるから、刊行物１発明はカメラの測光装置であると言える。
　さらに、刊行物１発明のピント板はカメラに装着されるものであるから、引用発明がピント板保持手段を備えたものであることは、当業者にとって明らかである。
　したがって、本願発明と刊行物１発明とは、
「ピント板を透過した被写体光束を受光して被写体輝度を測定する測光手段と、該測光手段の測光値に基づいて所定の演算式により露出値を演算する演算手段とを備えたカメラの測光装置であって、
　ピント板保持手段が保持したピント板の種別を識別する識別手段を備えることを特徴とするカメラの測光装置。」 
である点で一致し、以下の点で相違している。 
［相違点１］ピント板を透過した被写体光束に関して、本願発明が、開放絞り状態においてピント板を透過した被写体光束であるのに対して、刊行物１発明にはこのような限定がない点。
［相違点２］本願発明が、補正の種類に応じた演算式およびピント板の種別に応じた定数を記憶した記憶手段とを備え、前記記憶手段に記憶した演算式および定数の中から、識別手段が識別したピント板の種別に応じた定数を選択する選択手段とを備え、演算手段は、演算式および前記選択手段が選択した定数により各補正値を演算し、さらに演算した各補正値および所定の演算式により補正値を演算するのに対して、刊行物１発明は、ピント板の種別に応じて測定値を補正する測光値補正手段とを備え、演算手段は、補正後の測定値を演算するとの記載にとどまる点。
　 
（４）判断 
　上記相違点について検討する。
　
［相違点１］について
　開放絞り状態において測光することは周知の事項であるので、相違点１に係る本願発明の構成とすることは、当業者が容易に想到し得たものである。 
［相違点２］について
　補正の種類に応じた演算式を用いること、記憶手段、選択手段を備えることは、刊行物２に開示されているように、カメラの測光装置においては周知の事項である。
　そして、刊行物１発明はピント板の種別に応じて測定値を補正する測光値補正手段を備えたものであるから、周知の事項である記憶手段、選択手段を用いて、ピント板の種別に応じた定数を記憶する記憶手段と、識別手段が識別したピント板に応じた定数を選択する選択手段を備える構成とすることに格別の困難性は認められない。
　また、刊行物１発明の演算手段は補正後の測定値を演算して露出値を演算するものであるから、周知の事項である補正の種類に応じた演算式を用いることによって、演算式および選択手段が選択した定数により補正値を演算し、さらに演算した補正値を所定の演算式により補正値を演算する構成とすることに格別の困難性は認められない。
　してみると、相違点２に係る本願発明の構成とすることは、当業者が容易に想到し得たものである。
 
　そして、本願発明の作用効果も、刊行物１発明及び周知の事項に基づいて当業者が予測できる範囲のものである。 
　 
（５）むすび 
　以上のとおり、本願発明は、刊行物１に記載された発明及び周知の事項に基づいて、当業者が容易に発明をすることができたものであるから、特許法第２９条第２項の規定により特許を受けることができない。 
　よって、結論のとおり審決する。